(57)【特許請求の範囲】
【請求項１】
外部の衛星放送受信再生装置からの音声信号を外部のオーディオ機器へ中継する音声出力切換器であって、
衛星放送受信再生装置の高速デジタルインタフェース端子に接続される第１入力端子と、衛星放送受信再生装置の音声出力端子に接続される第２入力端子と、オーディオ機器に向けて音声信号を出力する出力端子とを装備したケーシング内に、
高能率圧縮符号化された音楽データを記憶した蓄積手段と、
高能率圧縮符号化された音楽データを復号化して音声信号を再生する復号再生手段と、
蓄積手段から音楽データを読み出して復号再生手段により音楽を再生する再生制御手段と、
第２入力端子に入力される音声信号Ａと復号再生手段から出力される音声信号Ｂのいずれかを前記出力端子から出力する切換回路と、
第１入力端子に入力される信号に基づいて衛星放送受信再生装置が受信不良状態になっていることを検出する受信不良検出手段と、
受信不良検出手段の検出信号に応答して切換回路を制御し、受信不良状態でない期間は音声信号Ａを、受信不良が検出されている期間は音声信号Ｂを前記出力端子から出力させる切換制御手段と、
が実装されていることを特徴とする音声出力切換器。
【請求項２】
第１入力端子に入力される信号から高能率圧縮符号化された音楽データを抽出して蓄積手段に格納する手段を備え、再生制御手段は、この手段により格納された音楽データを処理対象とすることを特徴とする請求項１に記載の音声出力切換器。
【請求項３】
予備音声入力端子と、予備音声入力端子の有効無効を設定するための第１ユーザインタフェース手段とを備え、
切換回路は、予備音声入力端子に入力される音声信号Ｃを前記出力端子から出力可能であり、
切換制御回路は、第１ユーザインタフェース手段により有効と設定されている場合において、受信不良が検出されている期間は音声信号Ｃを前記出力端子から出力させることを特徴とする請求項１または２に記載に音声出力切換器。
【請求項４】
予備音声入力端子に入力される音声信号Ｃを強制出力することを指令するための第２ユーザインタフェース手段を備え、第２ユーザインタフェース手段により指令入力があったとき、切換制御手段は、音声信号Ｃを前記出力端子から出力させることを特徴とする請求項１〜３のいずれかに記載の音声出力切換器。
【発明の詳細な説明】
【０００１】
【発明の属する技術分野】
この発明は、音声出力切換器および衛星放送受信再生装置に関し、特に衛星放送電波が受信不良となった場合の対策技術に関する。
【０００２】
【従来の技術】
衛星放送受信再生装置のブロック図を図１に示す。制御部１０がＣＰＵバス２０を介して各部を統括してデータの入出力などを行い、全体の動作を制御する。パラボラアンテナなどで受信／変換された中間周波数（ＩＦ）信号が同調部３０に入力される。ここで、選択したチャンネル（番組）が含まれる搬送波のＩＦに同調させ、その搬送波から複数の番組が多重された番組多重データを復調部４０で復調する。番組多重データは多重分離部５０で各チャンネルの番組データに分離される。誤り訂正やスクランブルの解除も多重分離部５０で行う。ＭＰＥＧ２デコード部６０で音声・映像の信号の復号処理が行われる。音声・映像信号は各制御部７０ａ，７０ｂを介して図示しないＴＶモニターやオーディオアンプに出力される。またＣＰＵバス２０には、高速デジタルインタフェース部８０が接続されており、多重分離部５０からのＩＤ出力信号やディスクランブルされたトランスポートデータを出力する。さらにＣＰＵバス２０には、外部と通信を行うためのモデム１１０、およびユーザの操作入力を受け付ける操作入力部１２０が接続されている。
【０００３】
【発明が解決しようとする課題】
ところで、悪天候などで受信電波が減衰した場合が問題である。このとき、オーディオアンプに接続されたスピーカからは、それまで流れていた音楽が突然途切れてしまう。
現在、これまでの有線放送による音楽番組に代わってデジタル多チャンネル衛星放送が各家庭や店舗などに導入されつつある。毎月受信料を払った上で利用しているのに、せっかく楽しんでいた音楽が途切れれば利用者は怒る。加えて、カラオケ事業を営んでいるところでは、カラオケ装置による伴奏音楽の演奏の合間に、衛星放送番組による音楽を流すサービスを行っている。このサービスが突然中断するのでは店舗内のムードに悪影響が出て営業上、支障が出かねない。
【０００４】
本発明は、このような課題を鑑みてなされたものであり、衛星放送を正常に受信できなくなっても、外部への音声出力が途絶えることのない音声出力切換器および衛星放送受信再生装置を提供することを目的とする。
【０００５】
【課題を解決するための手段】
第１の発明に係る音声出力切換器は、外部の衛星放送受信再生装置からの音声信号を外部のオーディオ機器へ中継する音声出力切換器であって、
衛星放送受信再生装置の高速デジタルインタフェース端子に接続される第１入力端子と、衛星放送受信再生装置の音声出力端子に接続される第２入力端子と、オーディオ機器に向けて音声信号を出力する出力端子とを装備したケーシング内に、
高能率圧縮符号化された音楽データを記憶した音楽データ蓄積手段と、
高能率圧縮符号化された音楽データを復号化して音声信号を再生する復号再生手段と、
蓄積手段から音楽データを読み出して復号再生手段により音楽を再生する再生制御手段と、
第２入力端子に入力される音声信号Ａと復号再生手段から出力される音声信号Ｂのいずれかを前記出力端子から出力する切換回路と、
第１入力端子に入力される信号に基づいて衛星放送受信再生装置が受信不良状態になっていることを検出する受信不良検出手段と、
受信不良検出手段の検出信号に応答して切換回路を制御し、受信不良状態でない期間は音声信号Ａを、受信不良が検出されている期間は音声信号Ｂを前記出力端子から出力させる切換制御手段とが実装されたものである。
【０００６】
この発明では、上記の構成に加えて、つぎのような要件（Ａ）〜（Ｃ）を適宜に備えた音声出力切換器とすることができる。
【０００９】
（Ａ）第１入力端子に入力される信号から高能率圧縮符号化された音楽データを抽出して蓄積手段に格納する手段を備え、再生制御手段は、この手段により格納された音楽データを処理対象とすることを特徴とする音声出力切換器。
【００１０】
（Ｂ）予備音声入力端子と、予備音声入力端子の有効無効を設定するための第１ユーザインタフェース手段とを備え、切換回路は、予備音声入力端子に入力される音声信号Ｃを前記出力端子から出力可能であり、切換制御回路は、第１ユーザインタフェース手段により有効と設定されている場合において、受信不良が検出されている期間は音声信号Ｃを前記出力端子から出力させることを特徴とする音声出力切換器。
【００１１】
（Ｃ）予備音声入力端子に入力される音声信号Ｃを強制出力することを指令するための第２ユーザインタフェース手段を備え、第２ユーザインタフェース手段により指令入力があったとき、切換制御手段は、音声信号Ｃを前記出力端子から出力させることを特徴とする音声出力切換器。
【００１６】
【発明の実施の形態】
＝＝＝＝＝第１形態＝＝＝＝＝
＜＜＜概  略＞＞＞
一つの実施例として、前述した従来の衛星放送受信再生装置（図１参照）に対し、本発明の音声出力切換器を外付けする形態を説明する。図２のシステム構成図に示すように、衛星放送受信再生装置１００の音声出力系統は、音声出力切換器２００を経由してアンプ３００に接続される。アンプ３００からの音声出力はスピーカ４００に出力される。映像出力は従来通りにＴＶモニター５００に出力される。受信電波が正常に受信されているあいだ、音声出力切換器２００は、受信再生装置１００から出力される音声信号をアンプ３００へ中継する。受信不良状態に陥ると内蔵のシンセサイザによる音声信号を出力する。
【００１７】
＜＜＜音声出力切換器＞＞＞
音声出力切換器２００の構成および動作を図３のブロック回路図を参照して説明する。制御部２１０は、ＣＰＵ、ＲＯＭおよびＲＡＭから構成され、音声出力切換器２００の動作を統一的に制御する。制御部２１０には、操作／表示パネル部２２０、高速デジタルインタフェース部２３０、シンセサイザとしてのＭＩＤＩ音源部２４０、音声信号切換部２５０、ジャンル選択スイッチ２６０が接続されている。
受信再生装置が受信中のチャンネルの番号を操作／表示パネル部２２０で表示する。操作／表示パネル部２２０で受け付けた操作入力に応じて制御部２１０は所定の動作を実行する。高速デジタルインタフェース部２３０には、受信再生装置側の高速デジタルインターフェース端子が接続され、ＩＤ出力信号が入力される。このＩＤ出力信号は、ＩＤ−ＤＡＴＡ、ＩＤ−ＣＬＯＣＫ、ＩＤ−ＳＹＮＣの３種類の信号からなる。このＩＤ出力信号は高速デジタルインタフェース部２３０を通じて制御部２１０に入力される。ＩＤ−ＤＡＴＡ信号にはＳＥＲＶＩＣＥ−ＩＤが含まれており、このＳＥＲＶＩＣＥ−ＩＤの入力を制御部２１０が監視することで受信不良状態を検出する。ＳＥＲＶＩＣＥ−ＩＤは本来、受信中のチャンネル番号を示すものであり、最大１００ミリ秒の周期で得られる。
【００１８】
ＳＥＲＶＩＣＥ−ＩＤの監視による受信不良状態の検出の仕方としては、ＳＥＲＶＩＣＥ−ＩＤを検出できなかった回数を計数し、所定の回数以上連続して検出できなかった場合に受信不良状態と判定する。このことで、正常な受信状態を維持しているのにも関わらず、瞬間的に受信エラーが生じてＳＥＲＶＩＣＥ−ＩＤが数回検出されない場合に、誤って受信不良状態と判定してしまうことを防止する。
【００１９】
受信不良状態と判定すると制御部２１０は所定のＭＩＤＩデータを読み出す。このＭＩＤＩデータは、所定数の楽曲分について音楽ジャンル別に用意されており、制御部２１０のＲＯＭに記憶されている。このＭＩＤＩデータに基づいてＭＩＤＩ音源部２４０を制御し、音声信号を生成する。同時に、音声信号切換部２５０を切り換えて外部出力をＭＩＤＩ音源部２４０からの音声信号とする。この音声信号切換部２５０はよく知られた半導体スイッチで構成する。
【００２０】
受信不良状態においてＭＩＤＩデータを読み出すにあたり、ジャンル選択スイッチ２６０で指定された音楽ジャンルのものを選択する。各ＭＩＤＩデータにはジャンル識別子が付帯しており、該当のＭＩＤＩデータが適宜読み出される。この実施例における具体的な音楽ジャンルとしては、ポップスや演歌、軽音楽およびクラシックなど、４ジャンルとする。各ジャンルごとに２曲分用意し、受信不良中、この２曲を交互に繰り返し演奏する。
【００２１】
また、受信不良状態を脱して正常な受信状態に復旧すると、直ちに音声出力切換器２００に働きかけて外部出力を受信電波の再生音声に切り換えるとともに、ＭＩＤＩデータによる演奏を中止する。この受信状態の復旧の検出法としては、ＳＥＲＶＩＣＥ−ＩＤを検出できた回数を計数し、所定の回数以上連続して検出できた場合を正常な受信状態と判定する。このことで、受信不良状態の続行中の瞬間的な誤動作あるいは瞬間的な回復に過ぎないにも関わらず、ＳＥＲＶＩＣＥ−ＩＤを数回検出できたことで、正常な受信状態と誤判定して外部出力の切換を行ってしまうことを防止できる。
【００２２】
さらに、受信再生装置の電源が落ちている場合においてもＳＥＲＶＩＣＥ−ＩＤは検出できない。このことを想定した対策も必要である。このとき、ＳＥＲＶＩＣＥ−ＩＤを検出できないことで受信不良とみなしてしまい、ＭＩＤＩ音源部２４０による音声信号を外部出力としてしまうことを避けたい場合がある。この場合、ＩＤ出力信号のうちのＩＤ−ＣＬＯＣＫ信号の入力レベルの有無を監視しておく。これが無い場合は、受信再生装置の電源が落ちていると見なし、受信不良の検出動作を行わない。反対に、受信再生装置の電源が落ちているために再生音声が得られないときでもＭＩＤＩ音源部２４０による音楽をスピーカから鳴らしたい場合には、ＩＤ−ＣＬＯＣＫ信号を無視して受信不良の検出動作を実行可能としておく。
【００２３】
音声出力切換器２００の外観の一例を示す。図４（ａ）の正面図に示すように、操作／表示パネル部２２０を構成するディスプレイ２２０ａおよびスイッチ群２２０ｂが取り付けられている。ディスプレイ２２０ａは、衛星放送受信再生装置で受信中のチャンネルの番号を表示する。スイッチ群２２０ｂを操作することで、アンプ３００への音声出力をＭＩＤＩ音源部２４０による音声信号に強制的に切り換える。この強制切換は放送の受信状態に依らず、正常に受信されている間でも実行できる。スイッチ群２２０ｂは３つのスイッチで構成され、１〜３の番号表示で識別される。各スイッチにはパチンコ店等に向けた「軍艦マーチ」など特定の曲が割り当てられており、このスイッチを択一的にＯＮすることで所定の音楽を出力する。
【００２４】
また図４（ｂ）の背面図に示すように、音声出力切換器２００は音声入力端子２５０ａ、音声出力端子２５０ｂ、データ入力端子２３０ａおよびジャンル選択スイッチ２６０が取り付けられている。音声入力端子２５０ａには、受信再生装置１００からの再生された音声信号が入力される。音声出力端子２５０ｂからはアンプ３００に向けて音声信号が出力される。データ入力端子２３０ａにはＩＤ出力信号が入力される。ジャンル選択スイッチ２６０はよく知られたＤＩＰスイッチで構成する。各音楽ジャンルに対応付けられたＤＩＰスイッチを多数並べて構成し、いずれか一つをＯＮにすることで音楽ジャンルを選択する。
【００２５】
＜＜＜その他＞＞＞
（イ）受信不良状態においてスピーカ４００から鳴らす音楽のジャンルの選択には種々の方法がある。例えば受信中のチャンネルに応じて選択する。チャンネルとしては、音楽のジャンルやカテゴリ別に特化した番組内容となっている場合がある。ポップス専用チャンネルや外国ロック専用チャンネルなどである。ＩＤ出力信号から受信中のチャンネルデータをジャンル情報として制御部２１０のＲＡＭに随時記憶させておく。一方、音楽ジャンルをチャンネルに対応付けたデータテーブルを予めＲＯＭに記憶させておく。例えば、チャンネル番号４０１は外国ロック、チャンネル番号４５０はクラシックといったものとする。そして、受信不良状態になるとＲＡＭからチャンネルデータを読み出し、データテーブルを参照して音楽ジャンルを決定する。
またこの他に、受信電波に多重化されている番組データを利用する方法もある。受信再生装置側の高速デジタルインターフェース端子からのトランスポートデータを利用する。このデータを高速デジタルインタフェース部２３０で取り込む。音楽番組を放送する場合、番組データには放送内容として音楽のカテゴリーデータが付帯している。このカテゴリーデータをジャンル情報としてＲＡＭに随時記憶させておく。一方、音楽ジャンルをカテゴリーデータに対応付けたデータテーブルを予めＲＯＭに記憶させておく。そして、受信不良状態になるとＲＡＭからカテゴリー情報を読み出し、データテーブルを参照して音楽ジャンルを決定する。
【００２６】
（ロ）受信不良状態においてスピーカから鳴らす音楽のＭＩＤＩデータを放送電波に多重して配信してもよい。このことでＭＩＤＩデータを予めＲＯＭに記憶させておく必要がなくなる。毎回異なる楽曲のＭＩＤＩデータを配信するようにすれば数曲分を記憶できるメモリを用意しておけばよく、比較的小さな容量で済む。具体的には、ＭＩＤＩデータを放送電波の前記トランスポートデータより抽出しておき、ＲＡＭなどの適宜なメモリに記憶させておいて利用する。
また、ＭＩＤＩデータを放送電波に多重するにあたり、放送している音楽と同じ楽曲のＭＩＤＩデータを多重化して配信してもよい。つまり、ある音楽の放送直前または放送中において適宜な時間間隔を持たせて繰り返し、該当のＭＩＤＩデータ１曲分を配信する。メモリ容量はこの１曲分で済む。そして、受信不良状態に陥ると、ただちに受信していた放送音楽と同一のＭＩＤＩデータの演奏を開始して外部出力する。スピーカからは受信電波によるものと同じ楽曲の音楽が途切れることなく流れる。
【００２７】
（ハ）例えば図５に示すように、音声出力切換器２００を受信再生装置１００内に組み込んで一体としたものも、本発明に含まれる。この場合、制御部１０はＲＯＭからＭＩＤＩデータを読み出し、ＭＩＤＩ音源部１３０を制御して音声信号を生成する。同時に、音声信号切換部１４０を切り換えて外部出力をＭＩＤＩ音源部１３０からの音声信号とする。ジャンル選択の機能は操作入力部１２０に持たせてもよいし、ジャンル選択スイッチを別途設けてもよい。また、音声信号切換部１４０をなくした構成も可能であり、ＭＩＤＩ音源部１３０からの音声信号を直接外部へ出力させるようにしてもよい。
【００２８】
（ニ）受信不良を検出する仕組みは種々変更できる。例えば、アンテナの受信レベルの低下を検出するようにしてもよい。
【００２９】
＝＝＝＝＝第２形態＝＝＝＝＝
＜＜＜実施例１＞＞＞
本発明の衛星放送受信再生装置では、放送電波の正常受信中と不良受信中とで音声信号の再生動作が全く異なる。ブロック図としては前述した従来の図１においてＣＰＵバス２０に遅延蓄積メモリが接続された形態となる。この遅延蓄積メモリはＲＡＭで構成される。
【００３０】
正常受信中では、従来の図１の装置と同様の動作で実時間の音声信号を外部へ出力する。さらにこの動作と並行して、多重分離部５０から得られるＭＰＥＧ２オーディオストリームをＲＡＭに最新の一定時間分（例えば１０分間分）だけ順次更新しながら書き込んでいく。
【００３１】
そして受信不良状態に陥ると、実時間の音声信号の出力動作ならびにＲＡＭへの書き込み動作を停止する。受信不良のオーディオストリームを書き込んでも後で使いものにならないからである。同時に、ＲＡＭからオーディオストリームを読み出す。読み出しの順番は最も古いもの（例えば１０分前）から直前に記録したものまで順次読み出す。読み出したオーディオストリームを復号して音声信号を出力する。この復号出力の仕方は実時間再生の場合と同じである。この読み出し再生の動作により受信不良に陥っても音声出力が断絶する状態を避けられる。受信不良状態の検出の仕方および動作としては、前述した第１形態と同様であり、ＳＥＲＶＩＣＥ−ＩＤの入力を制御部１０が監視することで受信不良状態を検出する。
【００３２】
ＲＡＭからのオーディオストリームの具体的な読み出し動作について説明する。読み出しを開始するアドレスとしては、受信不良状態に陥って書き込みを停止したアドレスの直後の適切なパケットとする。書き込みを停止した直前のアドレスには受信不良のパケットが格納されているはずである。一方、停止したアドレス以降には最も古く記録された（例えば１０分前に受信した）パケットが格納されており、ここから読み出して再生処理していく。
すなわち、この読み出し開始時点のパケットは１０分前に音声出力していたものである。例えば、その１０分前の時点の放送ではある楽曲の演奏途中であった場合、受信不良に陥ると今まで出力していた音声信号に代えて１０分前に出力していた演奏途中の音声信号を突然再度出力することになる。これをスピーカから聞くと違和感があるのは否めない。
【００３３】
この違和感という課題を解決するための一つの手段を説明する。受信不良となって書き込みを停止した瞬間のアドレスを記憶しておく。ここから直前まで書き込んでいたアドレスにおいて適宜遡ったパケット（例えば書き込み停止の１秒前）から読み出し再生を開始する。このときフェードアウトしながら開始する。そして最後のアドレスより後のパケット（１０分前に受信して記録していたもの）に至るとフェードインしながら再生する。すなわち受信不良状態になった瞬間に、実時間で再生出力していた１秒前の音声信号が再度繰り返しフェードアウトしながら出力され、１０分前の音声信号がフェードインしてくる。このことで違和感の軽減を図る。
【００３４】
つぎに、受信不良状態を脱して復旧した場合を説明する。正常な受信状態に復旧すると、ＲＡＭからオーディオストリームを読み出して再生出力する動作を直ちに停止する。同時に実時間の音声信号の出力動作ならびにＲＡＭへの書き込み動作を開始する。この受信状態の復旧の検出の仕方としては、前述した第１形態と同様であり、ＳＥＲＶＩＣＥ−ＩＤの検出回数を計数することで復旧を検出する。
【００３５】
＜＜＜実施例２＞＞＞
前述した実施例１における前記の違和感をより効果的に解決する手段として実施例２を説明する。この違和感の解決手段以外の部分は実施例１と同様である。異なる点を中心にして説明する。
まず放送局側から楽曲をデジタル放送する場合には楽曲単位のオーディオパケット群が含まれている。加えて、各音楽データを構成するオーディオパケット群において先頭のデータパケットには演奏の開始を示すデータが付帯するとともに、最後のデータパケットには演奏の終了を示すデータが付帯している。これら開始および終了のデータでもって演奏区間を特定する。
【００３６】
この実施例２の衛星放送受信再生装置を図６に示す。実施例１における遅延メモリとしてのＲＡＭにおいて複数の楽曲記憶部１〜ｎ（ｎは２以上の整数）を確保しておく。また各楽曲記憶部１〜ｎには後述する記録完了フラグを設けておく。正常受信中において各楽曲記憶部１〜ｎそれぞれにつき一曲分の音楽データを記録していく。限られた数の楽曲記憶部１〜ｎの中で古い音楽データが記録されたものから最新に受信したもので上書き更新していく。多重分離部５０から分離されてくるデータストリームを制御部１０は監視して演奏開始のデータを検出するたびに、その時点からのオーディオストリームについて楽曲記憶部の先頭アドレスから上書きしていく。このとき記録完了フラグをクリアする。演奏終了のデータを検出すると、所定の終端符号を書き込んで音楽データの書き込みを完了し、次の演奏開始のデータの検出を待つ。この書き込み完了時点で記録完了フラグをセットする。
【００３７】
受信不良状態に陥るといずれかの楽曲記憶部１〜ｎから音楽データを読み出して再生した音楽信号を出力する。このとき、読み出す楽曲記憶部１〜ｎは記録完了フラグがセットされたもののうち一つを選択する。音楽データの読み出し再生の動作を実行している過程で受信状態が復旧することなく終端符号が読み出されたら、別の楽曲記憶部１〜ｎ（記録完了フラグのセット済み）から音楽データを読み出して再生する。
【００３８】
＊＊＊演奏区間の他の特定例＊＊＊
▲１▼放送側で一つの楽曲の演奏を放送する際、演奏の開始から終了まで連続して該当の楽曲ＩＤを多重化する。演奏開始の検出は新たな楽曲ＩＤを検出し始めたことで判断し、演奏終了の検出は楽曲ＩＤが途絶えるか、別の新たな楽曲ＩＤを検出し始めたことで判断する。
▲２▼受信した音楽データの再生音声レベルを監視することで演奏区間の特定を行う。この音声レベルが一定のレベル以上を越えたら演奏開始と判断する一方、一定レベル未満に減衰した状態が所定時間以上連続したら演奏終了と判断する。曲中に無音部のある曲はその前後で別個の楽曲と判断されてしまうが、受信不良中における音声出力用のコンテンツとしては問題ない。このような方法は演奏区間の検出方法として雑ではあるが、放送データ中に演奏区間を特定するデータを多重化しなくて済む。
【００３９】
＊＊＊その他＊＊＊
（イ）楽曲記憶部の数は最低限２つあれば足りる。正常受信中において交互に音楽データを更新していく。受信不良状態に陥った時、受信している音楽データにおいて演奏途中時点のものを一方の楽曲記憶部に書き込んでいる最中であることが多いと考えられる。つまり、この楽曲記憶部に書き込まれた音楽データは最後まで記録されておらず不完全なものである。したがって、残りの楽曲記憶部に書き込まれた完全な音楽データを読み出し再生する。一方、楽曲記憶部の数は多数用意すれば、その分だけ完全な音楽データを豊富に用意できる。
【００４０】
また、音楽データ１曲分を格納する各楽曲記憶部１〜ｎの記憶容量としては、通常の音楽データの収まる５分程度分とすればよい。曲によっては１５分を越えたりする。全楽章合わせて６０分を越えるようなクラシック曲は各楽章を一曲分と見なしてもよい。この場合、各楽章ごとに演奏の開始および終了のデータを多重化させるか、楽章ごとに異なる楽曲ＩＤを多重化しておく。
それでも一つの楽曲記憶部１〜ｎに収まらずに容量切れになり、楽曲の途中までしか記録できなかった場合、記録完了フラグがクリアされたままであるから通常は再生しない。ところがすべての楽曲記憶部１〜ｎの記録完了フラグがクリアされていて、止むを得ずに尻切れの音楽データを再生する場合がある。この場合、その最終部分のアドレスの再生に至るとフェードアウト処理して聞き取り易くする。
【００４１】
（ロ）電源投入や受信チャンネルの切り換えの際には、演奏開始のデータを検出することなく楽曲の途中からでも直ちに音楽データの書き込みを行う。このとき、電源投入やチャンネル切り換えを行った直後に受信不良状態に陥っても直前まで書き込んでいた音楽データを再生出力する。このことで無音状態に陥るのを避ける。この場合も、すべての楽曲記憶部１〜ｎの記録完了フラグがクリアされていて止むを得ずに不完全な音楽データを再生することになる。
【００４２】
（ハ）前記（ロ）の場合のように、いずれの楽曲記憶部１〜ｎについても演奏の開始から終了まで完全に音楽データが記録されていなかった場合、受信不良時には不完全な音楽データを再生出力して無音状態を避けることになる。このとき、受信不良となって書き込みを停止した瞬間のアドレスを記憶しておく。このアドレスに基づいて直前まで受信記録していた音楽データをフェードアウトしながら再生開始し、当該音楽データもしくは別の音楽データの先頭アドレスからフェードインする。このことで、聞き取りやすい読み出し動作を適宜行える。
【００４３】
（ニ）複数ある楽曲記憶部１〜ｎの中で上書き更新する楽曲記憶部１〜ｎの選択の仕方としては、予め順番を決めておいて順番通り更新していく方法の他に、ランダムに選択してもよい。つまりランダム選択の場合、放送された順に書き込み動作をしながらもランダムに選ばれた楽曲記憶部１〜ｎに音楽データが記録される。このことで、受信不良時に再生される音楽データは、放送された順番とは無関係なものとでき、結果的に受信不良に至るまでに放送されていた楽曲の中から飛び飛びに間引いて記録再生できる効果が得られる。
【００４４】
（ホ）受信不良を検出する仕組みは種々変更できる。例えばアンテナの受信レベルの低下を検出するようにしてもよい。
【００４５】
（ヘ）受信再生装置の電源が落ちている場合においてもＳＥＲＶＩＣＥ−ＩＤは検出できない。このとき、ＳＥＲＶＩＣＥ−ＩＤを検出できないことで受信不良とみなしてしまい、音楽データによる音声信号を外部出力としてしまうことを避けたい場合がある。この場合、ＩＤ出力信号のうちのＩＤ−ＣＬＯＣＫ信号の入力レベルの有無を監視しておく。これが無い場合は、受信再生装置の電源が落ちていると見なし、受信不良の検出動作を行わない。反対に、受信再生装置の電源が落ちているために実時間の再生音声が得られないときでもＲＡＭに記録した音楽データを再生出力したい場合には、ＩＤ−ＣＬＯＣＫ信号を無視して受信不良の検出動作を実行可能としておく。
【００４６】
＜＜＜実施例３＞＞＞
前述した従来の衛星放送受信再生装置（図１参照）に対し、図７のブロック回路図に示すような音声出力切換器２００を外付けする形態を説明する。前述した実施例１，２における受信再生装置の特徴的な機能をこの音声出力切換器２００に持たせる。この場合、接続される受信再生装置の外部音声出力からは受信中の実時間の音声信号（ＩＲＤ音声）しか得られない。つまり、この音声出力切換器２００は、受信再生装置からの実時間の音声信号（ＩＲＤ音声入力）を中継出力する。加えてこの中継動作と並行してオーディオストリームをＲＡＭ２１０ｃに最新の一定時間分順次更新しながら書き込んでいく。そして受信不良状態に陥ると、実時間の音声出力動作と書き込み動作を停止する。これと同時に、ＲＡＭ２１０ｃからオーディオストリームを読み出して復号し、音声信号を出力する。このオーディオストリームの読み込みおよび書き込みの動作は実施例２と同様である。
【００４７】
音声出力切換器２００の構成および動作を図７を参照して説明する。制御部２１０は、ＣＰＵ２１０ａ、ＲＯＭ２１０ｂおよびＲＡＭ２１０ｃから構成され、音声出力切換器２００の動作を統一的に制御する。制御部２１０には、高速デジタルインタフェース部２３０、操作／表示パネル部２２０、ＭＰＥＧ２デコード部２７０、音声制御部２８０、音声信号切換部２５０が接続されている。ＲＡＭ２１０ｃの構成は実施例２における図６の楽曲記憶部１〜ｎと同じである。音声信号切換部２５０はよく知られた半導体スイッチで構成する。
【００４８】
受信再生装置において受信中のチャンネルの番号を操作／表示パネル部２２０で表示する。操作／表示パネル部２２０で受け付けた操作入力に応じて制御部２１０は所定の動作を実行する。高速デジタルインタフェース部２３０には、受信再生装置側の高速デジタルインタフェース部が所定のケーブルを介して接続され、デスクランブルされたトランスポートデータと、ＩＤ出力信号が入力される。このトランスポートデータから上述のオーディオストリームが抽出される。またＩＤ出力信号は制御部２１０に入力される。ＩＤ−ＤＡＴＡ信号に含まれるＳＥＲＶＩＣＥ−ＩＤの入力を制御部２１０が監視することで受信不良状態を検出する。ＳＥＲＶＩＣＥ−ＩＤの監視による受信不良状態の検出の仕方としては前述した実施の形態１の場合と同様である。
【００４９】
受信不良状態を検出すると、制御部２１０はＲＡＭ２１０ｃから所定の音楽データを読み出す。この音楽データはＭＰＥＧ２デコード部２７０で音声信号に復号処理され、音声制御部２８０を介して音声信号切換部２５０に出力される。このとき実施例２と同様に演奏区間データに基づく音楽データの書き込み／読み出しを行う。同時に、音声信号切換部２５０を切り換えて外部出力を音声制御部２８０からの音声信号とする。
【００５０】
受信不良状態を脱して正常な受信状態に復旧すると、直ちに音声信号切換部２５０に働きかけて外部出力を受信再生装置からの実時間の再生音声に切り換えるとともに、音楽データの読み出し再生処理を中止する。この受信状態の復旧の検出法は前述した第１形態の場合と同様である。
【００５１】
なお以上説明したように、オーディオストリームにおけるＭＰＥＧ２規格で高能率符号化された音声信号を録音しておきＭＰＥＧ２デコード部２７０で復号再生するほかに、復号されたＩＲＤ音声入力信号をＰＣＭなどの形式でデジタル録音してもよい。この場合ＭＰＥＧ２デコード部２７０を省略できる。また、切換出力する音声信号がアナログの場合はＡＤ変換器およびＤＡ変換器が必要となる。
【００５２】
＝＝＝＝＝第３形態＝＝＝＝＝
受信不良状態が長引く場合や、豪雪地帯など頻繁に受信不良状態に陥るところでは、前述した第１，２形態におけるＭＩＤＩデータや録音された音楽による音声を繰り返し再生するためユーザは飽きてしまう。ＭＩＤＩデータや録音音楽は容量の限られたメモリに記録されており種類には限界があるためである。そこで、前述した第１や第２の形態において、音声信号の入力系統を別にもう一つ増やして音声信号切換部で切換出力する。この別の入力系統をここでは予備の入力系統とする。この予備音声入力系統を複数にする構成も可能である。この入力系統にはＣＤプレーヤなど外部の音声再生機器からの出力信号が供給される。
【００５３】
まず第１形態の音声出力切換器２００について説明する。図３に示すように、予備音声入力系統を音声信号切換部２５０に接続しておく。ジャンル選択スイッチ２６０に外部出力を予備入力音声に切り換えるスイッチを設けておく。または、操作／表示パネル部２２０から操作入力を受け付けて外部への音声出力を予備音声に切り換える。この例における音声出力は３種類あって受信放送音声、ＭＩＤＩ音源部２４０からの音声、予備入力音声のいずれか一つに切り換えられる。外部の音声再生機器がＣＤプレーヤの場合、リピート再生モードにしておけばＣＤの音声が途絶えてしまうこともない。
【００５４】
この予備入力音声への切換は、受信不良状態においてＭＩＤＩデータによる音声信号の出力中に行える。あるいは、予め設定しておいて受信不良状態に陥ると初めから予備入力音声を外部出力するようにもできる。また、予備音声の入力レベルを検知して入力がある場合、自動的に予備音声の出力モードとしてもよい。また、受信不良中に限らず正常受信時でも予備音声に切り換えられるようにもしておく。
【００５５】
予備音声入力のソースとしてはＣＤプレーヤの他に周知の音声出力機器が利用できる。ラジオを含む地上波の各種放送や有線放送の受信機からの音声出力も利用できる。これらの音声出力機器による音声出力の開始は予めユーザの操作でもって行う。あるいは、音声出力機器のリモートコントロール端子への制御信号出力系統を音声出力切換器２００に設けておき、予備入力音声に切り換えられたのを受けて制御部２１０が音声出力機器を制御して音声出力を開始させてもよい。
【００５６】
つぎに第１形態の受信再生装置１００について説明する。図５に示すように、予備音声入力系統を音声信号切換部１４０に接続しておく。この例における音声出力は３種類あって受信放送音声、ＭＩＤＩ音源部１３０からの音声、予備入力音声のいずれか一つに切り換えられる。操作入力部１２０から操作入力を受け付けて外部への音声出力を予備音声に切り換える。このほか、この予備音声入力系統に関する事項は前述した図３の音声出力切換器２００の場合と同様である。
【００５７】
つぎに第２形態における実施例１，２の受信再生装置１００について説明する。実施例２にかかる図８に示すように、予備音声入力系統を音声信号切換部１４０に接続しておく。実施例１の図１の場合も図８と同様にして音声信号切換部１４０から予備入力音声と音声制御部７０ａの音声信号とを切換出力できるようにしておく。この例における音声出力は３種類あって受信放送音声、遅延蓄積メモリのオーディオストリームあるいは楽曲記憶部１〜ｎの音楽データの再生音声、予備入力音声のいずれか一つに切り換えられる。操作入力部１２０から操作入力を受け付けて外部への音声出力を予備音声に切り換える。予備入力音声への切換は、受信不良状態においてＲＡＭからのオーディオストリームあるいは音楽データによる再生音声の出力中に行える。このほか、この予備音声入力系統に関する事項は前述した図３の音声出力切換器２００の場合と同様である。
【００５８】
つぎに第２形態における実施例３の音声出力切換器２００について説明する。図７に示すように、予備音声入力系統を音声信号切換部２５０に接続しておく。この例における音声出力は３種類あって受信放送音声、遅延蓄積メモリのオーディオストリームあるいは楽曲記憶部１〜ｎの音楽データの再生音声、予備入力音声のいずれか一つに切り換えられる。操作／表示パネル部２２０から操作入力を受け付けて外部への音声出力を予備音声に切り換える。この予備入力音声への切換は、受信不良状態において遅延蓄積メモリのオーディオストリームあるいは楽曲記憶部１〜ｎの音楽データの再生音声信号の出力中に行える。このほか、この予備音声入力系統に関する事項は前述した図３の音声出力切換器２００の場合と同様である。
【００５９】
なお、これまで説明した第１〜３形態において、アンプ３００がデジタル音声入力端子を備えている場合を前提とするならば、これに対応して音声出力切換器２００側ではデジタル音声信号を切換出力するようにしてもよい。高音質な音楽を流すことができる。
【００６０】
【発明の効果】
受信不良状態に陥って放送電波から音声が得られなくなると、シンセサイザにより音声信号を生成するとした場合には、スピーカからは途切れることなく音楽を流すことができる。
【００６１】
このとき生成する音声信号は、実際に演奏された音楽を録音したものではなく、シンセサイザ制御方式の音楽データに基づいている。したがって、この音楽データを記憶するメモリは比較的少容量で済み、小型化が図れる。
【００６２】
シンセサイザ制御方式の音楽データがジャンル分けされていて、このジャンルを指定できたり、それまで受信していた音楽番組に合ったジャンルのものとすれば、受信不良状態におけるスピーカから流れる音楽は、それまで流れていたものと違和感のないものにできる。
【００６３】
また、受信不良状態に陥って放送電波から音声データが得られなくなると、録音手段から読み出した音声データを再生出力するとした場合には、直前まで受信出力していた一定時間分の音声データを記憶しておき、これを読み出して再生出力する。このため、受信不良直前の音声が再度出力され、違和感をあまり感じさせずに音声出力を続行できる。
前記受信不良状態の検出中にすべての前記演奏区間の記録された前記音楽データを選択再生するようにすれば、演奏の開始から終了まで完全に記録された音楽データを再生出力でき、不完全な音楽データを再生しないで済む。このことで違和感をより軽減した音声出力が行える。
さらに、受信不良状態が長引いたり豪雪地帯など頻繁に受信不良状態に陥る場合でも、予備音声入力端子を通じた外部機器からの音声を出力できる。このため飽きのこない多彩な音声を外部へ出力できる。
【００６４】
なお悪天候に限らず、アンテナの向きがずれたり受信再生装置が不調をきたして、受信電波から音声信号をうまく得られない場合でも、前記効果を奏することができる。
【図面の簡単な説明】
【図１】従来例および本発明の第２形態の実施例１と共通する衛星放送受信再生装置のブロック図である。
【図２】本発明における音声出力切換器を使用したシステム構成図である。
【図３】本発明の第１，３形態における音声出力切換器のブロック図である。
【図４】本発明における音声出力切換器の外観図であり、（ａ）は正面図であり、（ｂ）は背面図である。
【図５】本発明の第１，３形態における衛星放送受信再生装置のブロック図である。
【図６】本発明の第２形態の実施例２における衛星放送受信再生装置のブロック図である。
【図７】本発明の第２形態の実施例３および第３形態における音声出力切換器のブロック図である。
【図８】本発明の第３形態における衛星放送受信再生装置のブロック図である。
【符号の説明】
１０      制御部
２０      ＣＰＵバス
３０      同調部
４０      復調部
５０      多重分離部
６０      ＭＰＥＧ２デコード部
７０ａ    音声制御部
７０ｂ    映像制御部
８０      高速デジタルインタフェース部
９０      ＩＣカードＩＦ部
１００    衛星放送受信再生装置
１１０    モデム
１２０    操作入力部
１３０    ＭＩＤＩ音源部
１４０    音声信号切換部
２００    音声出力切換器
２１０    制御部
２１０ａ  ＣＰＵ
２１０ｂ  ＲＯＭ
２１０ｃ  ＲＡＭ
２２０    操作／表示パネル部
２２０ａ  ディスプレイ
２２０ｂ  スイッチ群
２３０    高速デジタルインタフェース部
２３０ａ  データ入力端子
２４０    ＭＩＤＩ音源部
２５０    音声信号切換部
２５０ａ  音声入力端子
２５０ｂ  音声出力端子
２６０    ジャンル選択スイッチ
２７０    ＭＰＥＧ２デコード部
２８０    音声制御部
３００    アンプ
４００    スピーカ
５００    ＴＶモニター
【図１】
0004083616.tif 000002
【図２】
0004083616.tif 000003
【図３】
0004083616.tif 000004
【図４】
0004083616.tif 000005
【図５】
0004083616.tif 000006
【図６】
0004083616.tif 000007
【図７】
0004083616.tif 000008
【図８】
0004083616.tif 000009